(57)【要約】      （修正有）【課題】収納された紙類の脱落をより確実に防止できる紙類入れを提供する。【解決手段】一定幅の長尺なシート２に、その長手方向中央部分において、その長手方向に一定間隔をあけて折れ目３，４を設け、そのシート２のうち、折れ目３，４間部分を基部５として構成する。また、シート２のうち、折れ目３，４の一方よりも長手方向外方側部分を、一方の折れ目３を基準として基部５上に重なるように折返すことにより、押さえ部６として構成し、シート２のうち、折れ目３，４の他方よりも長手方向外方側部分を、他方の折れ目４を基準として基部５及び押さえ部６上に重なるように折返すことにより、蓋部１０として構成する。そして、押さえ部６のうち、折れ目の延び方向Ｘ両側（両側縁部６ｂ、６ｃ）を、基部５にそれぞれ一体化する。これにより、収納部８に収納されている紙類が、折れ目の延び方向Ｘ一方側だけでなく、折れ目の延び方向Ｘ他方側においても移動規制を受けるようにする。【選択図】図１
0003140497.tif 000002
【実用新案登録請求の範囲】
【請求項１】
可撓性を有する一定幅の長尺なシートに、その長手方向中央部分において、その長手方向に一定間隔をあけて折れ目が設けられ、
前記シートのうち、前記折れ目間部分が基部として構成され、
前記シートのうち、前記折れ目の一方よりも長手方向外方側部分が、該一方の折れ目を基準として前記基部上に重なるように折返されることにより、押さえ部として構成され、
前記シートのうち、前記折れ目の他方よりも長手方向外方側部分が、該他方の折れ目を基準として前記基部及び前記押さえ部上に重なるように折返されることにより、蓋部として構成されている紙類入れにおいて、
前記押さえ部のうち、前記折れ目の延び方向両側部分が、前記基部にそれぞれ一体化され、
前記押さえ部と前記基部とが、該押さえ部の先端縁部と該基部との間を出し入れ口とした収納部を構成している、
ことを特徴とする紙類入れ。
【請求項２】
請求項１において、
前記押さえ部の先端縁部に、少なくとも前記折れ目の延び方向一方側において、切り欠きが形成されている、
ことを特徴とする紙類入れ。
【請求項３】
請求項１において、
前記押さえ部に、前記折れ目の延び方向一方側において、該押さえ部の先端縁から前記折れ目の配設方向内方側に向けて入り込む切り欠きが形成され、
前記切り欠きが、前記折れ目の配設方向において、前記押さえ部の全体長さの半分を超える長さをもって延びていると共に、前記折れ目の延び方向において、少なくとも親指先端部の腹部が入る間隔が確保されている、
ことを特徴とする紙類入れ。
【請求項４】
請求項１において、
前記押さえ部に、前記折れ目の延び方向両側において、該押さえ部の先端縁から前記折れ目の配設方向内方に向けて入り込む切り欠きがそれぞれ形成され、
前記各切り欠きが、前記折れ目の配設方向において、前記押さえ部の全体長さの半分を超える長さをもってそれぞれ延びていると共に、前記折れ目の延び方向において、少なくとも親指先端部の腹部が入る間隔がそれぞれ確保されている、
ことを特徴とする紙類入れ。
【請求項５】
請求項３又は４において、
前記切り欠きが、前記折れ目の延び方向外方に向かうに従って前記押さえ部の先端縁から該折れ目の配設方向内方に深く入り込むようにされていると共に、該切り欠きのうち、該折れ目の延び方向外方側が外部に開放されている、
ことを特徴とする紙類入れ。
【請求項６】
請求項１〜５のいずれか１項において、
前記押さえ部に、前記収納部の内外を連通させる長孔が形成され、
前記長孔が、前記押さえ部の先端縁と前記一方の折れ目との間において、前記折れ目の配設方向に延びるようにして形成され、
前記長孔の幅が、該長孔内に少なくとも親指先端部の腹部が入り込むように設定されている、
ことを特徴とする紙類入れ。
【請求項７】
請求項６において、
前記長孔が、前記押さえ部に前記折れ目の延び方向両側において形成されている、
ことを特徴とする紙類入れ。
【請求項８】
請求項１〜５のいずれか１項において、
前記蓋部に、前記押さえ部との重なり領域において、留め具の一方の要素が設けられ、
前記押さえ部に、前記一方の要素が係合するための留め具の他方の要素が設けられている、
ことを特徴とする紙類入れ。
【請求項９】
請求項８において、
前記留め具の一方の要素が、前記他方の折れ目に向けて凸となる円弧状の切り込みを前記蓋部に入れることにより形成される舌片であり、
前記留め具の他方の要素が、前記舌片を差し込むための差し込み口である、
ことを特徴とする紙類入れ。
【考案の詳細な説明】
【技術分野】
【０００１】
本発明は、紙等を入れるための紙類入れに関する。
【背景技術】
【０００２】
紙類入れには、可撓性を有する一枚の長尺なシートを用いたものが開発されている。例えば特許文献１には、シートに、その長手方向中央部分において、その長手方向に一定間隔をあけて折れ目を設け、そのシートのうち、折れ目間部分を基部として構成し、シートのうち、折れ目の一方よりも長手方向外方側部分を、該一方の折れ目を基準として基部上に重なるように折返すことにより、押さえ部として構成し、シートのうち、折れ目の他方よりも長手方向外方側部分を、該他方の折れ目を基準として基部及び押さえ部上に重なるように折返すことにより、蓋部として構成し、押さえ部を、折れ目の延び方向一方側（一方側縁部）においてのみ基部に一体化したものが提案されている。このものによれば、押さえ部の先端縁部から他方の側縁部（折れ目の延び方向他方側）にかけての範囲において、それらと基部との間を出し入れ口とした収納部が形成されることになる。
【特許文献１】登録実用新案第３１２１００２号公報
【考案の開示】
【考案が解決しようとする課題】
【０００３】
しかし、上記紙類入れにおいては、押さえ部の他方の側縁部（折れ目の延び方向他方側）が基部に対して分離されており、収納部に収納されている紙類が折れ目の延び方向他方側において移動規制を受けることはない。このため、収納部内に紙類が収納されていても、押さえ部の他方の側縁部と基部との間から紙類が脱落するおそれがある。
【０００４】
本考案は、このような事情の鑑みてなされたもので、その技術的課題は、収納された紙類の脱落をより確実に防止できる紙類入れを提供することにある。
【課題を解決するための手段】
【０００５】
前記技術的課題を達成するために本考案（請求項１に係る考案）においては、
可撓性を有する一定幅の長尺なシートに、その長手方向中央部分において、その長手方向に一定間隔をあけて折れ目が設けられ、
前記シートのうち、前記折れ目間部分が基部として構成され、
前記シートのうち、前記折れ目の一方よりも長手方向外方側部分が、該一方の折れ目を基準として前記基部上に重なるように折返されることにより、押さえ部として構成され、
前記シートのうち、前記折れ目の他方よりも長手方向外方側部分が、該他方の折れ目を基準として前記基部及び前記押さえ部上に重なるように折返されることにより、蓋部として構成されている紙類入れにおいて、
前記押さえ部のうち、前記折れ目の延び方向両側部分が、前記基部にそれぞれ一体化され、
前記押さえ部と前記基部とが、該押さえ部の先端縁部と該基部との間を出し入れ口とした収納部を構成している構成としてある。請求項１の好ましい態様としては、請求項２以下の記載の通りとなる。
【考案の効果】
【０００６】
請求項１の考案によれば、押さえ部のうち、折れ目の延び方向両側（両側縁部）が、基部にそれぞれ一体化されていることから、収納部に収納されている紙類は、折れ目の延び方向一方側だけでなく、折れ目の延び方向他方側においても移動規制を受けることになり、収納部内に収納されている紙類が、押さえ部の折れ目の延び方向他方側から脱落することを防止できる。勿論この場合、収納部のうち、開放されている部分は、押さえ部の先端縁と基部との間（出し入れ口）だけとなるが、その出し入れ口も蓋部により塞がれることになり、紙類が出し入れ口から脱落することが防止される。したがって、収納された紙類の脱落をより確実に防止できる紙類入れを提供できる。
【０００７】
請求項２の考案によれば、押さえ部の先端縁部に、少なくとも折れ目の延び方向一方側において、切り欠きが形成されていることから、出し入れ口（押さえ部の先端縁と基部との間）に指を入れてその出し入れ口を押し開く際、押さえ部の先端縁部のうち、切り欠きよりも折れ目の延び方向他方側にかけての部分のみが基部から離間するように積極的に撓み（開き）、その際の力は、切り欠きよりも折れ目の延び方向一方側において開き力として伝達されることが抑えられ、押さえ部の一方の側縁部と基部との一体化部分を破断する力（剥離力）として作用することが抑制される。このため、当該紙類入れを長期に亘って使用できる。
【０００８】
請求項３の考案によれば、出し入れ口が指により押し開かれても、前記請求項２の場合同様、切り欠きに基づき、その際の力を、切り欠きよりも折れ目の延び方向一方側（一方の側縁部側）に伝達されることを抑制して、押さえ部の一方の側縁部と基部との一体化部分が破断されることを防止できる。しかも、切り欠きが、折れ目の配設方向において、押さえ部の全体長さの半分を超える長さをもって延びていると共に、折れ目の延び方向において、少なくとも親指先端部の腹部が入る間隔が確保されていることから、その切り欠きを利用して、収納部内に収納されている紙類を、指により基部に押し付けつつ押し上げることができ、収納部内から紙類を容易に取り出すことができる。
【０００９】
請求項４の考案によれば、前記請求項３に係る切り欠きと同様の切り欠きが、押さえ部に折れ目の延び方向両側において形成されていることから、押さえ部の両側縁部と基部との一体化部分が破断することを防止できると共に、収納部内に収納されている紙類がどちらかの側縁部側に偏って位置していても、いずれかの切り欠きを利用して、容易に紙類を取り出すことができる。また、使用者が右利き、左利きのいずれであっても、好みの切り欠きを選択し、その選択した切り欠きを利用することにより、紙類を容易に取り出すことができる。
【００１０】
請求項５の考案によれば、切り欠きが、折れ目の延び方向外方に向かうに従って押さえ部の先端縁から折れ目の配設方向内方に深く入り込むようにされていると共に、切り欠きのうち、折れ目の延び方向外方側が外部に開放されていることから、切り欠きの外縁形状の見栄えを向上させることができると共に、収納部内に収納されている紙類を、指により基部に押し付けつつ押し上げるに際して、途中で、蓋部の存在しない折れ目の延び方向外方側に方向を変えることができ、紙類の取出しの使い勝手を高めることができる。
【００１１】
請求項６の考案によれば、押さえ部に、収納部の内外を連通させる長孔が形成され、長孔が、押さえ部の先端縁と一方の折れ目との間において折れ目の配設方向に延びるようにして形成され、長孔の幅が、該長孔内に少なくとも親指先端部の腹部が入り込むように設定されていることから、長孔を利用して、収納部内に収納されている紙類を、親指先端部の腹部をもって基部に押し付けつつ押し上げることができ、収納部から紙類を容易に取り出すことができる。
【００１２】
請求項７の考案によれば、長孔が、押さえ部に折れ目の延び方向両側において形成されていることから、紙類が、折れ目の延び方向において偏った状態で収納部内に収納されていても、前記請求項６の場合同様、いずれかの長孔を利用して容易に取り出すことができる。また、使用者が右利き、左利きのいずれであっても、好みの長孔を選択し、その選択した長孔を利用することにより、紙類を容易に取り出すことができる。
【００１３】
請求項８の考案によれば、蓋部に、押さえ部との重なり領域において、留め具の一方の要素が設けられ、押さえ部に、一方の要素が係合するための留め具の他方の要素が設けられていることから、出し入れ口（押さえ部の先端縁と基部との間）を蓋部により塞ぐことを留め具により確実にすることができ、出し入れ口から紙類が脱落することを確実に防止できる。
【００１４】
請求項９の考案によれば、留め具の一方の要素が、他方の折れ目に向けて凸となる円弧状の切り込みを蓋部に入れることにより形成される舌片であり、留め具の他方の要素が、舌片を差し込むための差し込み口であることから、舌片が差し込み口に差し込まれた状態においては、押さえ部と蓋部とは、相対的に離間する方向にスライド動することが規制されることになり、簡単な構成をもって、蓋部により出し入れ口を確実に閉じ状態にできる。
【考案を実施するための最良の形態】
【００１５】
以下、本考案の実施形態について、図面に基づいて説明する。
図１〜図３は第１実施形態に係る紙類入れを示す。紙類入れ１は、可撓性を有する一定幅の長尺なシート２を用いて形成されている。シート２としては、紙、樹脂シート等、種々の材質のものを用いることができるが、本実施形態においては、防水性、視認性の観点等から樹脂シートが用いられている。このシート２大きさは、収納すべき紙類の大きさにより適宜、決定されており、本実施形態においては、幅方向（図１中、左右方向）長さが２１〜２２ｃｍ前後の範囲の一定値、長手方向長さが３０〜３１ｃｍ前後の範囲の値のものが採用されている。
【００１６】
前記シート２には、図１に示すように、その長手方向中央部分において、その長手方向に一定間隔をあけて折れ目３，４が設けられている。各折れ目３（４）は、平行状態を維持しつつシート２の幅方向に延びており、その両折れ目３，４の間隔は、シート２の幅方向全体に亘って一定間隔（例えば１３〜１４ｃｍの範囲の一定値）に維持されている。シート２は、この折れ目３，４間部分を基部５として構成している。
【００１７】
前記シート２は、図１に示すように、前記一方の折れ目３よりも長手方向外方側部分を押さえ部６として構成している。押さえ部６は、一方の折れ目３を基準として基部５上に重なるように折返されており、その押さえ部６の先端縁６ａは他方の折れ目４までには至らず、押さえ部６の先端縁６ａと他方の折れ目４とは、所定間隔（例えば４〜５ｃｍ前後の範囲の一定値）だけ離間されている。押さえ部６は、シート２の一定幅形状に基づき、折れ目の延び方向Ｘ（図１中、左右方向（シート２の幅方向））一方側（図１中、右側）において一方の側縁部６ｂを構成し、折れ目の延び方向Ｘ他方側（図１中、左側）において他方の側縁部６ｃを構成しており、基部５は、同じくシート２の一定幅形状に基づき、折れ目の延び方向Ｘ一方側において一方の側縁部５ｂを構成し、折れ目の延び方向Ｘ他方側において他方の側縁部５ｃを構成している。この押さえ部６の両側縁部６ｂ，６ｃと基部５の両側縁部５ｂ，５ｃは、折れ目の延び方向Ｘにずれることなく一致した状態で合わさっており、この状態で、押さえ部６の両側縁部６ｂ，６ｃと基部５の両側縁部５ｂ，５ｃとは、その重なっている範囲において、一体化されている。この一体化には、溶着、接着剤等、種々の方法を用いることができるが、本実施形態においては、溶着が用いられている。これにより、押さえ部６と基部５とは、押さえ部６の先端縁部６Ａと基部５との間を出し入れ口７とした収納部８を構成することになる。
【００１８】
前記押さえ部６の先端縁部６Ａには、基部５の側縁部５ｂからの押さえ部６の側縁部６ｂの剥離（破断）を防止すべく、図１に示すように、折れ目の延び方向Ｘ一方側において、比較的小さめの切り欠き９が形成されている。この切り欠き９は、正面視三角形状をなして、押さえ部６の先端縁６ａから一方の折れ目３に向けて入り込んでおり、その切り欠き９は、折れ目の延び方向Ｘにおいて、押さえ部６の一方の側縁部６ｂ近傍に位置されている。勿論、この切り欠き９に関しては、押さえ部６の一方の側縁部６ｂ近傍位置だけでなく、押さえ部６の他方の側縁部６ｃ近傍位置に設けて、基部５の両側縁部５ｂ，５ｃからの押さえ部６の両側縁部６ｂ，６ｃの剥離（破断）を防止してもよい。
【００１９】
前記シート２は、図１に示すように、前記他方の折れ目４よりも長手方向外方側部分を蓋部１０として構成している。蓋部１０は、他方の折れ目４を基準として基部５及び押さえ部６上に重なるように折返されており、その押さえ部６の先端部分と押さえ部６とは、部分的に重なっている。これにより、蓋部１０により出し入れ口７を塞ぐことができることになる。
【００２０】
前記蓋部１０に、前記押さえ部６との重なり領域において、留め具の一方の要素として舌片１１が設けられ、前記押さえ部６に、留め具の他方の要素として差し込み口１２が設けられている（図１，図３参照）。舌片１１は、蓋部１０において、他方の折れ目４に向けて凸となる円弧状の切り込みを入れることにより形成されており、その舌片１１は、折れ目の延び方向Ｘ中央部に位置されている。この舌片１１は、それに力を作用させることによりその基端部を中心として撓むこと（起倒伏可能）ができることになっている。差し込み口１２は、押さえ部６において折れ目の延び方向Ｘ中央部に位置されており、蓋部１０を押さえ部６上に重ねたときに、舌片１１の基端部が差し込み口１２上に位置することになっている。このため、図３に示すように、舌片１１を蓋部１０の内面側に起立させた状態でその舌片１１を差し込み口１２に差し込むことができ、舌片１１が差し込み口１２に差し込まれて倒伏した状態（蓋部１０と略面一状態）になったときには、他方の折れ目４により蓋部１０と押さえ部６との重なり部分が増加する方向（図３中、左方向）に蓋部１０がスライドすることが抑制されることになり、舌片１１は差し込み口１２から抜けにくくなる。また同時に、舌片１１の基端部と差し込み口１２の周縁部とが当接（係合）することになり、押さえ部６と蓋部１０とは、相対的に離間する方向にスライド動することが規制されることになる。このため、この舌片１１と差し込み口１２という簡単な構成をもって、蓋部１０により出し入れ口７を確実に閉じ状態にできることになる。
【００２１】
したがって、このような紙類入れ１においては、押さえ部６の両側縁部６ｂ，６ｃが、基部５の両側縁部５ｂ，５ｃにそれぞれ一体化されていることから、収納部８に収納されている紙類は、折れ目の延び方向Ｘ一方側だけでなく、折れ目の延び方向Ｘ他方側においても移動規制を受けることになり、収納部８内に収納されている紙類が、押さえ部６の折れ目の延び方向Ｘ他方側から脱落することを防止できる。勿論、収納部８のうちの出し入れ口７（押さえ部６の先端縁６ａと基部５との間）については、蓋部１０、舌片１１、差し込み口１２により塞がれることになる。
【００２２】
また、本実施形態においては、押さえ部６の先端縁部６Ａに、折れ目の延び方向Ｘ一方側において切り欠き９が形成されていることから、出し入れ口７に指を入れてその出し入れ口７を押し開いても、押さえ部６の先端縁部６Ａのうち、切り欠き９よりも折れ目の延び方向Ｘ他方側にかけての部分のみが、図１の矢印で示すように、基部５から離間するように積極的に撓み（開き）、その際の力は、切り欠き９よりも折れ目の延び方向Ｘ一方側において開き力として伝達されることが抑えられる。このため、押さえ部６の一方の側縁部６ｂと基部５の一方の側縁部５ｂとの一体化部分を破断する力（剥離力）として作用することが抑制され、当該紙類入れ１を長期に亘って使用できる。
【００２３】
図４は第２実施形態、図５は第３実施形態、図６は第４実施形態を示す。この各実施形態において、前記第１実施形態と同一構成要素については同一符号を付してその説明を省略する。
【００２４】
図４に示す第２実施形態は、押さえ部６に、折れ目の延び方向Ｘ一方側において、該押さえ部６の先端縁６ａから折れ目の配設方向Ｙ内方側に向けて入り込む切り欠き９Ｂを形成している。この切り欠き９Ｂは、折れ目の配設方向Ｙにおいて、前記押さえ部６の全体長さの半分を超える長さ（例えば４．５ｃｍ以上）をもって延びていると共に、折れ目の延び方向Ｘにおいて、少なくとも親指先端部１３の腹部が入る間隔（例えば１．５ｃｍ〜２ｃｍが確保されている。具体的には、切り欠き９Ｂは、滑らかな曲線状態をもって、折れ目の延び方向Ｘ外方に向かうに従って押さえ部６の先端縁６ａから折れ目の配設方向Ｙ内方に深く入り込むようにされていると共に、その切り欠き９Ｂのうち、折れ目の延び方向Ｘ外方側が外部に開放され、押さえ部６における一方の側縁部６ｂは、折れ目の配設方向Ｙにおいて、押さえ部６の長さの半分（例えば４．５ｃｍ）未満の長さとされている。また、本実施形態においては、押さえ部６に、折れ目の延び方向Ｘ他方側において、前記第１実施形態と同様の比較的小さな切り欠き９が形成されている。
【００２５】
これにより、出し入れ口７が指により押し開かれても、第１実施形態同様、切り欠き９、９Ｂに基づき、その際の力を、図４の矢印に示すように逃がして、押さえ部６の両側縁部６ｂ、６ｃに伝達されることを抑制して、押さえ部６の両側縁部６ｂ、６ｃと基部５の両側縁部５ｂ、５ｃとの一体化部分が剥離することを防止できる。またこの場合、切り欠き９Ｂが、折れ目の配設方向Ｙにおいて、押さえ部６の全体長さの半分を超える長さをもって延びていると共に、折れ目の延び方向Ｘにおいて、少なくとも親指先端部１３の腹部が入る間隔が確保されていることから、収納部８内に収納されている紙類１４を、その切り欠き９Ｂを介して親指先端部１３の腹部により基部５に押し付けつつ押し上げることができ、収納部８内から紙類１４を容易に取り出すことができる。
【００２６】
しかも、上記切り欠き９Ｂが、折れ目の延び方向Ｘ外方に向かうに従って押さえ部６の先端縁６ａから折れ目の配設方向Ｙ内方に深く入り込むようにされていると共に、切り欠き９Ｂのうち、折れ目の延び方向Ｘ外方側が外部に開放されていることから、切り欠き９Ｂの外縁形状の見栄えを向上させることができるだけでなく、収納部８内に収納されている紙類１４を、親指先端部１３により基部５に押し付けつつ押し上げるに際して、図４の矢印で示すように、途中で、蓋部１０の存在しない折れ目の延び方向Ｘ外方側に方向を変えることができ、紙類１４の取出しの使い勝手を高めることができる。
【００２７】
図５に示す第３実施形態は、第２実施形態の変形例を示す。この第３実施形態においては、第２実施形態における切り欠き９Ｂと同様の切り欠き９Ｂ、９Ｃが、押さえ部６に折れ目の延び方向Ｘ両側において形成されている。これにより、押さえ部６の両側縁部６ｂ、６ｃと基部５の両側縁部５ｂ、５ｃとの一体化部分が剥離（破断）することを防止できると共に、収納部８内に収納されている紙類がどちらかの側縁部６ｂ、６ｃ側に偏って位置していても、いずれかの切り欠き９Ｂ（９Ｃ）を利用して、容易に紙類１４を取り出すことができる。また、使用者が右利き、左利きのいずれであっても、好みの切り欠き９Ｂ（又は９Ｃ）を選択し、その選択した切り欠き９Ｂ（又は９Ｃ）を利用することにより、紙類を容易に取り出すことができる。
【００２８】
図６に示す第４実施形態は、第１実施形態の変形例を示す。この第４実施形態においては、押さえ部６に、折れ目の延び方向Ｘ両側において、収納部８の内外を連通させる長孔１５Ｂ、１５Ｃが形成されている。この各長孔１５Ｂ（１５Ｃ）は、押さえ部６の先端縁６ａと一方の折れ目３との間において折れ目の配設方向Ｙに延びるように形成され、その各長孔１５Ｂ（１５Ｃ）の幅（図６中、左右方向）は、長孔１５Ｂ（１５Ｃ）内に少なくとも親指先端部１３の腹部が入り込むように設定されている。このため、長孔１５Ｂ（１５Ｃ）を利用して、収納部８内に収納されている紙類１４を、親指先端部１３の腹部をもって基部５に押し付けつつ押し上げることができ、収納部８から紙類１４を容易に取り出すことができる。勿論この場合も、使用者が右利き、左利きのいずれであっても、好みの長孔１５Ｂ（又は１５Ｃ）を選択し、その選択した長孔１５Ｂ（又は１５Ｃ）を利用することにより、紙類を容易に取り出すことができる。この長孔１５Ｂ（１５Ｃ）は、いずれか一つとしてもよい。
【００２９】
また、押さえ部６の先端縁部６Ａには、折れ目の延び方向Ｘ両側において、切り欠き９が設けられている。この両切り欠き９は、前記実施形態同様、出し入れ口７を指で開いた際、その力が各切り欠き９から折れ目の延び方向Ｘ外方に伝達されないようにして、押さえ部６の両側縁部６ｂ、６ｃと基部５の両側縁部５ｂ、５ｃとが剥離することを抑制することになる。
【図面の簡単な説明】
【００３０】
【図１】第１実施形態に係る紙類入れを示す斜視図。
【図２】図１のＸ２−Ｘ２線断面図。
【図３】第１実施形態に係る紙類入れを閉じた状態を示す断面図。
【図４】第２実施形態に係る紙類入れを示す斜視図。
【図５】第３実施形態に係る紙類入れを示す斜視図。
【図６】第４実施形態に係る紙類入れを示す斜視図。
【符号の説明】
【００３１】
１  紙類入れ
２  シート
３  一方の折れ目
４  他方の折れ目
５  基部
６  押さえ部
６ａ  先端縁
６Ａ  先端縁部
６ｂ  一方の側縁部
６ｃ  他方の側縁部
７  出し入れ口
８  収納部
９  切り欠き
９Ｂ  切り欠き
９Ｃ  切り欠き
１０  蓋部
１１  舌片
１２  差し込み口
１３  親指先端部
１５Ｂ  長孔
１５Ｃ  長孔
Ｘ  折れ目の延び方向
Ｙ  折れ目の配設方向
【図１】
0003140497.tif 000003
【図２】
0003140497.tif 000004
【図３】
0003140497.tif 000005
【図４】
0003140497.tif 000006
【図５】
0003140497.tif 000007
【図６】
0003140497.tif 000008